(57)【要約】【課題】天井面を室内側から見たときの美観に優れ、快適な室内環境を提供することができる空気調和ユニット及び空気調和システムを提供する。【解決手段】空気調和ユニット１は、室内１１の天井側のスラブ１４に空間部を介して連続的に敷設することにより天井面１ａを形成する複数の天井面形成用パネルを備え、天井面形成用パネルは、複数の吸込用の微小孔２０ａが形成されたパネル本体２０と、パネル本体２０のスラブ１４側に設けられ、熱交換用の熱媒体を流通させるパイプ２１とを有する熱媒体式パネル２と、複数の貫通孔３０ａが形成されたパネル本体３０と、空気を導入して貫通孔３０ａから室内１１側に吹き出させ、その吹き出した空気ｅの一部ｆを熱媒体式パネル２の貫通孔２０ａを介してスラブ１４側に還流させるチャンバー３１とを有する空気式パネル３とを備える。【選択図】図２
2014020703.tif 000002
【特許請求の範囲】
【請求項１】
室内の天井側の蓄熱体に空間部を介して連続的に敷設することにより天井面を形成する複数の天井面形成用パネルを備え、
前記天井面形成用パネルは、
前記室内側から前記蓄熱体側に貫通する複数の吸込用の微小孔が形成されたパネル本体と、前記パネル本体の前記蓄熱体側に設けられ、熱交換用の熱媒体を流通させるパイプとを有する熱媒体式パネルと、
前記室内側から前記蓄熱体側に貫通する複数の吹出用の微小孔が形成されたパネル本体と、空気を導入して前記複数の吹出用の微小孔から前記室内側に吹き出させ、その吹き出した空気を前記熱媒体式パネルの前記複数の吸込用の微小孔を介して前記蓄熱体側に還流させるチャンバーとを有する空気式パネルと、
を備えた空気調和ユニット。
【請求項２】
前記吸込用の微小孔及び前記吹出用の微小孔は、直径０．５〜３ｍｍのサイズを有する請求項１に記載の空気調和ユニット。
【請求項３】
前記天井面形成用パネルは、前記室内照明用のパネルを含む請求項１又は２に記載の空気調和ユニット。
【請求項４】
請求項１乃至３のいずれか１項に記載の空気調和ユニットと、
前記空気式パネルの前記チャンバーに空気を供給する空気調和装置と、
前記熱媒体式パネルの前記パイプに前記熱媒体を供給する熱源装置と、
を備えた空気調和システム。
【発明の詳細な説明】
【技術分野】
【０００１】
本発明は、空気調和ユニット及び空気調和システムに関する。
【背景技術】
【０００２】
近年、建築物自体の熱容量を利用して蓄熱する躯体蓄熱方式の空気調和システムが採用
されるようになっている。
【０００３】
従来、この種の躯体蓄熱方式の空気調和システムには、天井面を形成する天井面形成用
パネルと、この天井面形成用パネルの室内側及び躯体側に配置された一対のファン（吸込
ファン，吹出ファン）及び空気調和装置とを備えたものがある（例えば特許文献１）。
【０００４】
天井面形成用パネルは、吸込ファンの吸込側に接続する吸込口、及び室内側，躯体側に
開口する吹出口（アネモファン型吹出口）を有し、室内空間と天井裏空間との間に介在し
て配置されている。
【０００５】
吸込ファンは天井裏空間に、また吹出ファンは室内空間にそれぞれ配置されている。空気調和装置は、躯体に近接する吹出口、及び吸込ファンの吹出側に接続する吸込口を有し、天井裏空間に配置されている。
【０００６】
このように構成された空気調和システムにおいて、蓄熱時には空気調和装置が運転される。この場合、空気調和装置の吹出口から吹き出された空気が躯体に沿って流れる際に熱交換され、躯体に蓄熱を行うことができる。
【０００７】
一方、放熱時には、アネモファン型吹出口，吹出ファン及び吸込ファンが空気調和装置と共に運転される。この場合、空気調和装置の吹出口から吹き出された空気が躯体に沿って流れて熱交換され、躯体に蓄熱された熱を回収して室内に吹き出される。
【先行技術文献】
【特許文献】
【０００８】
【特許文献１】特開２００５−３２６１０６号公報
【発明の概要】
【発明が解決しようとする課題】
【０００９】
しかし、従来の空気調和システムでは、天井面を室内側から見たときに複数の箇所に吹出口が見え、美観が良いとは言い難い。また、吹出口から吹き出される空気が室内に居る者に直接当たり不快に感じる場合がある。
【００１０】
したがって、本発明の目的は、天井面を室内側から見たときの美観に優れ、快適な室内環境を提供することができる空気調和ユニット及び空気調和システムを提供することにある。
【課題を解決するための手段】
【００１１】
本発明の一態様は、上記目的を達成するため、室内の天井側の蓄熱体に空間部を介して連続的に敷設することにより天井面を形成する複数の天井面形成用パネルを備え、前記天井面形成用パネルは、前記室内側から前記蓄熱体側に貫通する複数の吸込用の微小孔が形成されたパネル本体と、前記パネル本体の前記蓄熱体側に設けられ、熱交換用の熱媒体を流通させるパイプとを有する熱媒体式パネルと、前記室内側から前記蓄熱体側に貫通する複数の吹出用の微小孔が形成されたパネル本体と、空気を導入して前記複数の吹出用の微小孔から前記室内側に吹き出させ、その吹き出した空気を前記熱媒体式パネルの前記複数の吸込用の微小孔を介して前記蓄熱体側に還流させるチャンバーとを有する空気式パネルと、を備えた空気調和ユニットを提供する。
【００１２】
また、本発明の他の態様は、上記目的を達成するため、上記空気調和ユニットと、前記空気式パネルの前記チャンバーに空気を供給する空気調和装置と、前記熱媒体式パネルの前記パイプに前記熱媒体を供給する熱源装置と、を備えた空気調和システムを提供する。
【発明の効果】
【００１３】
本発明によれば、天井面を室内側から見たときの美観に優れ、快適な室内環境を提供することができる。
【図面の簡単な説明】
【００１４】
【図１】図１は、本発明の実施の形態に係る空気調和システムを適用した建築物を室内側から見た概略の平面図である。
【図２】図２は、図１に示す建築物を模式的に示す要部断面図である。
【図３】図３は、熱媒体式パネルの一例を示し、（ａ）はスラブ側から見た平面図、（ｂ）は（ａ）のＡ−Ａ線断面図、（ｃ）は室内側から見た要部平面図である。
【図４】図４は、空気式パネルの一例を示し、（ａ）はスラブ側から見た平面図、（ｂ）は（ａ）のＢ−Ｂ線断面図、（ｃ）は室内側から見た要部平面図である。
【図５】図５は、ＬＥＤ照明パネルの一例を示し、（ａ）はその斜視図、（ｂ）は（ａ）のＣ−Ｃ線断面図である。
【発明を実施するための形態】
【００１５】
以下、本発明の実施の形態について図面を参照して説明する。なお、各図中、実質的に同一の機能を有する構成要素については、同一の符号を付してその重複した説明を省略する。
【００１６】
図１は、本発明の実施の形態に係る空気調和システムを適用した建築物を室内側から見た概略の平面図、図２は、図１に示す建築物を模式的に示す要部断面図である。
【００１７】
（空気調和システム１００の全体構成）
この空気調和システム１００は、建築物１０の室内１１の天井側に敷設された空気調和ユニット１と、熱源装置としての熱源機１１０及び熱交換ユニット１２０と、空気調和装置としての外調機１３０とを備える。
【００１８】
（建築物１０の構成）
建築物１０は、例えばオフィスビル等であり、主としてコンクリートで形成された柱部１２、外壁１３及び各階を仕切る蓄熱体としてのスラブ１４と、外壁１３に設けられた窓１５とを備える。室内１１の側方には、間仕切り１６が設けられ、室内１１の下方には床１８が設けられている。なお、建築物１０は、オフィスビルに限らず、戸建て住宅、集合住宅、工場、公共施設、高層建築物等でもよい。
【００１９】
（天井面形成用パネル）
空気調和ユニット１は、図２に示すように、室内１１の天井側のスラブ１４に空間部１９を介して連続的に敷設することにより天井面１ａを形成する複数の天井面形成用パネルを備える。天井面形成用パネルには、熱媒体式パネル２、空気式パネル３、室内照明用のパネルとしてのＬＥＤ照明パネル４及びダミーパネル５がある。ここで、「連続的に敷設」とは、空気調和装置の吹出口や吸気口を設けることなく天井面形成用パネルを並べて敷設することを意味する。
【００２０】
室内１１と天井裏の空間部１９との間に一定以上の圧力差を確保するため、天井面形成用パネルの周囲に、天井面形成用パネルと周囲の壁（間仕切り１６等）との間にほとんど隙間ないように天井１７を敷設している。
【００２１】
熱媒体式パネル２は、図２に示すように、底壁に複数の貫通孔２０ａが形成された略箱型状のパネル本体２０と、パネル本体２０のスラブ１４側、すなわち底壁の裏面側に設けられ、水等の熱交換用の熱媒体を流通させるパイプ２１とを備える。熱媒体式パネル２は、平面視において長方形を有する。熱媒体式パネル２の長辺は、短辺の２倍程度とするのがレイアウト上好ましい。なお、熱媒体式パネル２は、正方形、三角形等の他の形状でもよい。熱媒体式パネル２の構造の詳細については後述する。
【００２２】
空気式パネル３は、図２に示すように、底壁に複数の貫通孔３０ａが形成された略箱型状のパネル本体３０と、温度及び湿度が制御された空気をパネル本体３０に供給するチャンバー３１とを備える。空気式パネル３は、平面視において長方形を有する。空気式パネル３の長辺は、短辺の２倍程度とするのがレイアウト上好ましい。また、空気式パネル３の長辺及び短辺のサイズは、熱媒体式パネル２と略同一とするのがレイアウト上好ましい。なお、空気式パネル３は、正方形、三角形等の他の形状でもよい。空気式パネル３の構造の詳細については後述する。
【００２３】
ＬＥＤ照明パネル４は、図２に示すように、金属、樹脂等から形成されたパネル本体４０と、パネル本体４０に取り付けられた複数のＬＥＤランプ４１とを備える。ＬＥＤ照明パネル４は、平面視において正方形を有する。なお、ＬＥＤ照明パネル４は、長方形、三角形等の他の形状でもよい。ＬＥＤ照明パネル４の構造の説明については後述する。
【００２４】
ダミーパネル５は、図１に示すように、金属、樹脂等から形成され、ＬＥＤ照明パネル４と同一のサイズの正方形を有する。また、ダミーパネル５は、ＬＥＤ照明パネル４に隣接して並べたときに熱媒体式パネル２及び空気式パネル３と同一のサイズになるようにしてもよい。なお、ダミーパネル５は、長方形、三角形等の他の形状でもよい。また、ダミーパネル５は、熱媒体式パネル２や空気式パネル３と同様に貫通孔を形成してもよい。これにより天井面形成用パネル全体が調和がとれて室内側からどの種類のパネルかが見分けがつかず、美観に優れた天井とすることができる。
【００２５】
（空気調和ユニット１の構成）
空気調和ユニット１は、上述したように、天井面形成用パネルとしての熱媒体式パネル２、空気式パネル３、ＬＥＤ照明パネル４及びダミーパネル５を有する。これらの天井面形成用パネルは、図示しない枠部材、アンカーボルト、ワイヤー等の取付部材によってスラブ１４に取り付けられる。本実施の形態は、熱媒体式パネル２を４０枚、空気式パネル３を１０枚、ＬＥＤ照明パネル４を２０枚、ダミーパネル５を２０枚用いている。なお、熱媒体式パネル２、空気式パネル３、ＬＥＤ照明パネル４及びダミーパネル５の数や位置は図１のものに限られない。例えば、ダミーパネル５を熱媒体式パネル２や空気式パネル３と同様のサイズの長方形にしてもよい。図１の場合は、枚数を１０枚に減らすことができる。
【００２６】
空気調和ユニット１は、冷暖房能力の相違により、熱媒体式パネル２の面積（又は数）が空気式パネル３の面積（又は数）よりも多くなるように熱媒体式パネル２及び空気式パネル３を配置している。また、最も窓１５側に熱媒体式パネル２を配置している。具体的には、熱媒体式パネル２の面積（又は数）は、熱媒体式パネル２と空気式パネル３の合計面積（又は数）の７０〜９０％（図１では８０％）に設定されている。言い換えると、空気式パネル３の面積（又は数）は、熱媒体式パネル２と空気式パネル３の合計面積（又は数）の１０〜３０％（図１では２０％）に設定されている。また、熱媒体式パネル２の面積は、全天井面積に対して４７〜６７％（図１では５７％）に設定されている。空気式パネル３の面積は、全天井面積に対して４〜２４％（図１では１４％）に設定されている。
【００２７】
空気式パネル３の貫通孔３０ａから吹き出した空気ｅが室内１１を経由して熱媒体式パネル２の貫通孔２０ａを介してスラブ１４側の空間部１９に還流する流れｆ、ｇが室内１１の各所で生じるように、空気式パネル３は、天井面１ａに分散して配置するのが好ましい。そのために、図１では、空気式パネル３の幅方向（短辺方向）において空気式パネル３間に少なくとも２枚の熱媒体式パネル２（８００〜１２００ｍｍの距離）を配置して天井面１ａを形成している。
【００２８】
（制御系）
熱源機１１０は、温水又は冷水を循環ライン１１１、１１２を介して循環させて熱交換ユニット１２０が熱媒体式パネル２のパイプ２１に供給する熱媒体を加熱又は冷却する。
【００２９】
熱交換ユニット１２０は、供給側配管１２１がパイプ２１の一方の側に接続され、戻り側配管１２２がパイプ２１の他方の側に接続されている。熱交換ユニット１２０は、温度及び流量が制御された熱媒体（例えば１６℃の水）を供給側配管１２１を介してパイプ２１に供給し、熱媒体式パネル２で熱交換された熱媒体（例えば１８℃の水）が戻り側配管１２２を介して熱交換ユニット１２０に戻るように構成されている。なお、パイプ２１に供給される熱媒体は、温度のみが制御されたものでもよい。
【００３０】
外調機１３０は、図２に示すように、吹出しダクト１３１が空気式パネル３のチャンバー３１に接続され、吸込みダクト１３２の端部１３２ａが天井裏に露出している。そして外調機１３０は、外気の全熱負荷、すなわち顕熱負荷（温度）及び潜熱負荷（湿度）を処理して温度及び湿度が制御された空気を吹出しダクト１３１及び空気式パネル３のチャンバー３１を介して供給し、パネル本体３０の貫通孔３０ａから温度及び湿度が制御された空気ｅを室内１１に吹き出させる。また、外調機１３０は、室内１１で発生し、熱媒体式パネル２の貫通孔２０ａを介して天井裏の空間部１９に流入した潜熱負荷（湿度）を吸込みダクト１３２を介して取り込んで処理する。なお、チャンバー３１に供給する空気ｅは、温度のみが制御されたものでもよい。
【００３１】
（熱媒体式パネル）
図３は、熱媒体式パネル２の一例を示し、（ａ）はスラブ１４側から見た平面図、（ｂ）は（ａ）のＡ−Ａ線断面図、（ｃ）は室内側から見た要部平面図である。
【００３２】
熱媒体式パネル２は、前述したようにパネル本体２０及びパイプ２１を備え、パネル本体２０の底壁２００の裏面に接合され、パイプ２１を保持する保持部材２２と、パネル本体２０の底壁２００の裏面に接着された吸音用シート２５とを備える。パネル本体２０の底壁２００には、室内１１側からスラブ１４側に貫通する複数の吸込用の微小孔としての貫通孔２０ａが形成されている。
【００３３】
パネル本体２０は、上方（スラブ１４側）が開口された略箱型状を有し、底壁２００と、側壁２０１〜２０４とを備える。側壁２０１〜２０４は、上部に内側に折り曲がった折曲部２０１ａ〜２０４ａが形成されている。折曲部２０１ａ、２０３ａには、熱媒体式パネル２をスラブ１４側からワイヤー等で吊り下げるための吊り孔２０５が形成されている。
【００３４】
パネル本体２０は、アルミニウム板、アルミニウム合金板、鋼板等の厚さ０．５〜２ｍｍ程度の金属板から形成されている。パネル本体２０は、例えば、幅４００〜６００ｍｍ、長さ２１００〜２３００ｍｍ、高さ８〜５０ｍｍを有する。
【００３５】
パネル本体２０に直径０．５〜１ｍｍ程度の円形の複数の貫通孔２０ａが形成されている。貫通孔２０ａは、ピッチＰｘ＝Ｐｙ＝４〜６ｍｍで形成され、格子状に配列されている。本実施の形態では、直径０．７ｍｍの貫通孔２０ａをピッチ５ｍｍで格子状に配列している。なお、貫通孔２０ａは、千鳥状等の他の態様により配置されてもよい。貫通孔２０ａは、直径０．５〜３ｍｍ程度であれば、吸音効果を発揮するが、本実施の形態では、２ｍ以上離れて天井を見たときに貫通孔２０ａが孔として視認され難くするために１ｍｍ以下としている。貫通孔２０ａは、円形に限られず、矩形状や三角形、長円、楕円等の他の形状でもよい。貫通孔２０ａの数及び直径は、例えば開口率０．８〜３％となるように定められる。なお、発明者によるJIS A 1409に定められた残響室法吸音率測定によると、貫通孔の直径２．５ｍｍ、開口率１６％の金属製の天井パネルに対し、貫通孔の直径０．７ｍｍ、開口率１．６％としても吸音率は、５１％から４１％へ若干の低下にとどまることが実証できている。
【００３６】
保持部材２２は、パネル本体２０の底壁２００の裏面に接合された板状部２３と、板状部２３の上側に設けられ、パイプ２１を保持する断面半円状の湾曲部２４とを有する。保持部材２２は、金属から形成されている。パイプ２１は、可撓性を有し、湾曲部２４の開口２４ａに弾性変形させつつ嵌め込むことにより、湾曲部２４に密着して固定される。
【００３７】
パイプ２１は、例えば３層構造のガスバリア性（酸素不透過）を有するチューブである。このチューブは、ポリウレタンからなる第１層、エチレン−ビニルアルコール共重合体（ＥＶＯＨ）からなる第２層、ポリウレタンからなる第３層を、内側からこの順に有している。ＥＶＯＨは、ガスバリア性が高く、パイプ２１中の流体に空気中の酸素が溶け込むことを防ぐ。これにより、熱媒体式パネル２等における錆の発生を防止している。パイプ２１は、隣接する熱媒体式パネル２に設けられた他のパイプ２１や、熱交換ユニット１２０に接続された供給側配管１２１及び戻り側配管１２２にジョイントによって接続される。
【００３８】
吸音用シート２５は、吸音性及び通気性を有するものが好ましい。吸音用シート２５としては、例えば、不織布、フェルト、合成繊維等を用いることができる。吸音用シート２５に不燃性がさらに要求される場合には、セラミックシートやガラスウール等を用いることができる。
【００３９】
（空気式パネル）
図４は、空気式パネル３の一例を示し、（ａ）はスラブ１４側から見た平面図、（ｂ）は（ａ）のＢ−Ｂ線断面図、（ｃ）は室内側から見た要部平面図である。
【００４０】
空気式パネル３は、パネル本体３０と、パネル本体３０の底壁の裏面側に配置されるチャンバー３１と、パネル本体３０の底壁３００の裏面に接着され、吸音用シート２５と同一の材質から形成された吸音用シート３２とを備える。パネル本体３０の底壁３００には、室内１１側からスラブ１４側に貫通する複数の吹出用の微小孔としての貫通孔２０ａが形成されている。
【００４１】
空気式パネル３のパネル本体３０は、熱媒体式パネル２のパネル本体２０と同様に、上方（スラブ１４側）が開口された略箱型状を有し、底壁３００と、側壁３０１〜３０４とを備える。側壁３０１〜３０４は、上部に内側に折り曲がった折曲部３０１ａ〜３０４ａが形成されている。折曲部３０１ａ、３０３ａには、空気式パネル３をスラブ１４側からワイヤー等で吊り下げるための吊り孔３０５が形成されている。
【００４２】
空気式パネル３のパネル本体３０は、熱媒体式パネル２のパネル本体２０と同一の金属板から形成されている。空気式パネル３のパネル本体３０は、例えば、幅４００〜６００ｍｍ、長さ２１００〜２３００ｍｍ、高さ３０〜５０ｍｍを有する。
【００４３】
空気式パネル３のパネル本体３０は、熱媒体式パネル２と同様に、パネル本体３０に直径０．５〜１ｍｍ程度の円形の複数の貫通孔３０ａが形成されている。貫通孔３０ａは、ピッチＰｘ＝Ｐｙ＝４〜６ｍｍで形成され、格子状に配列されている。本実施の形態では、直径０．７ｍｍの貫通孔３０ａをピッチ５ｍｍで格子状に配列している。なお、貫通孔３０ａは、千鳥状等の他の態様により配置されていてもよい。貫通孔３０ａは、直径０．５〜３ｍｍ程度であれば、吸音効果を発揮するが、本実施の形態では、２ｍ以上離れて天井を見たときに貫通孔３０ａが視認され難くするために１ｍｍ以下としている。貫通孔３０ａは、円形に限られず、矩形状や三角形、長円、楕円等の他の形状でもよい。貫通孔３０ａの数及び直径は、例えば開口率０．８〜３％となるように定められる。
【００４４】
（チャンバー）
チャンバー３１は、分離可能な上部チャンバー３１０、下部チャンバー３１１及びパッキン３１２から構成されている。チャンバー３１は、上部チャンバー３１０と下部チャンバー３１１から構成することで、貫通孔３０ａから均一に空調空気を吹き出すことができ、かつ、分離可能な構造とすることで、チャンバー３１をコンパクトにできる。なお、上部チャンバー３１０を図４（ａ）、（ｂ）において、右側又は左側の一方に寄せた配置としてもよい。上部チャンバー３１０は、所定の圧力の空気を導入して複数の貫通孔３０ａから室内１１側に吹き出させ、その吹き出した空気ｅの一部ｆを熱媒体式パネル２の複数の貫通孔２０ａを介してスラブ１４側に還流させる。
【００４５】
上部チャンバー３１０は、下方が開口された略箱型状を有し、上壁３１０ａと、側壁３１０ｂ〜３１０ｅと、座部３１０ｆとから構成されている。上部チャンバー３１０は、一つの側壁３１０ｅに空気取入口３１０ｇが形成され、上壁３１０ａに複数のスラブ側排出孔３１０ｈが形成され、座部３１０ｆに取付孔３１０ｉが形成されている。上部チャンバー３１０は、ボルト３１４を座部３１０ｆの取付孔３１０ｉに通しパッキン３１２を介して下部チャンバー３１１に固定される。なお、３つのスラブ側排出孔３１０ｈは、ゴム蓋によって選択的に閉塞可能となっている。
【００４６】
下部チャンバー３１１は、下方が開口された略箱型状を有し、上壁３１１ａと、側壁３１１ｂ〜３１１ｅとから構成されている。上壁３１１ａには、室内側排出孔３１１ｆが形成されている。
【００４７】
温度と湿度が制御された空気が空気取入口３１０ｇから空気取入れ方向１３３に供給されると、その空気は、図４（ｂ）に示すように、一部はスラブ側排出孔３１０ｈを介して空間部１９に排出され、他は室内側排出孔３１１ｆを通り下部チャンバー３１１で分散して均一に貫通孔３０ａを介して室内１１側に排出される。
【００４８】
（ＬＥＤ照明パネル）
図５は、ＬＥＤ照明パネルの一例を示し、（ａ）はその斜視図、（ｂ）は（ａ）のＣ−Ｃ線断面図である。
【００４９】
ＬＥＤ照明パネル４は、図５に示すように、金属、樹脂等から形成され、下方が開口された略箱型状を有するパネル本体４０と、パネル本体４０に収容され、複数のＬＥＤランプ４１を有する基板４２と、パネル本体４０の開口側に設けられた拡散板４３とを備える。パネル本体４０は、底壁４００と、側壁４０１〜４０４とを備える。拡散板４３は、表面に凹凸が有し、例えば透明樹脂から形成される。ＬＥＤ照明パネル４は、平面視において正方形を有する。また、基板４２及びパネル本体４０の底壁４００に貫通孔４４を形成しているので、ＬＥＤランプ４１から発生する熱が空気と一緒に貫通孔４４を介して空間部１９に還流し、ＬＥＤランプ４１の熱を効率的に排出することができる。なお、ＬＥＤ照明パネル４は、長方形、三角形等の他の形状でもよい。また、照明はＬＥＤランプに限らず、他の公知の照明ランプでもよい。
【００５０】
（空気調和システムの冷暖房機能）
ここで、空気調和システム１００の冷暖房機能について、例えば冷房の場合で説明する。
【００５１】
冷暖房の第１の機能は、熱媒体式パネル２への輻射ａにより室内１１を冷暖房する機能である。例えば、室内１１に居る人や家電製品等から熱媒体式パネル２への輻射ａにより室内１１を冷房する。
【００５２】
冷暖房の第２の機能は、スラブ１４の蓄熱を利用した機能である。例えば、冷房では、熱負荷の少ない夜間に、熱媒体式パネル２への輻射ｂによってスラブ１４により熱を吸収して冷却するいわゆる冷熱の蓄熱を行い、熱負荷の大きくなる昼間に、スラブ１４への蓄熱ｃを利用して室内１１を冷房する。
【００５３】
冷暖房の第３の機能は、空気式パネル３から室内１１に温度及び湿度が制御された空気ｅを吹き出すことにより室内１１を冷暖房する機能である。外調機１３０により室内１１に導入する外気の全熱負荷と、室内１１で発生した潜熱負荷を処理すると、例えば、低温・低湿度の空気ｅが吹出しダクト１３１及び空気式パネル３を介して室内１１に吹き出す。
【００５４】
冷暖房の第４の機能は、室内１１を除湿する機能である。室内１１と天井裏の空間部１９との圧力差により、室内１１の空気ｆを熱媒体式パネル２の貫通孔２０ａから天井裏の空間部１９に吸い込み、吸込みダクト１３２を介して外調機１３０により処理する。
【００５５】
冷暖房の第５の機能は、空気式パネル３への輻射ｄにより室内１１を冷暖房する機能である。空気式パネル３には、温度及び湿度が制御された空気が供給され、空気式パネル３が加熱又は冷却される。空気式パネル３への輻射ｄにより室内１１が冷暖房される。
【００５６】
空気調和システム１００は、主として上記の５つの機能を利用することにより、室内１１の温度及び湿度を調節する。
【００５７】
（実施の形態の効果）
本実施の形態によれば、以下の効果を奏する。
（ア）室内１１側から天井を見たとき、空気調和装置の吹出口や吸気口が無くすっきりした美観を提供することができる。また、熱媒体式パネル２と空気式パネル３を同じ形状及び同じ大きさとし、貫通孔の配列や大きさを同じにしているので、室内からパネルの見分けがつかず、すっきりした美観を提供することができる。
（イ）空気式パネル３から吐出される空気は微弱なものであるため、冷風や温風が人に直接当たることがなく、快適な室内環境を提供することができる。
（ウ）能力は熱媒体式パネル２よりも空気式パネル３の方が大きいので、室内１１の熱負荷に合わせて熱媒体式パネル２と空気式パネル３との比率を自由に選択することができる。
（エ）天井面１ａの平面広さに合わせた個数のパネル２、３、４、５を自由に配置して天井面１ａを形成することができ、パネルを配置する上での自由度を高めることができる。
【００５８】
なお、本発明は、上記実施の形態に限定されず、その要旨を変更しない範囲内で種々に変形実施が可能である。例えば、ＬＥＤ照明パネル４を長方形とし、長辺及び短辺のサイズを熱媒体式パネル２と略同一としてもよい。この場合、ダミーパネル５を省いてもよい。
【００５９】
また、本発明の要旨を変更しない範囲内で上記実施の形態の構成要素のうち一部を除くことも可能である。また、上記実施の形態では、熱媒体式パネル２及び空気式パネル３の内側に吸音用シート２５、３２を設けたが、これらを省いてもよい。
【符号の説明】
【００６０】
１…空気調和ユニット、１ａ…天井面、２…熱媒体式パネル（天井面形成用パネル）、３…空気式パネル（天井面形成用パネル）、４…ＬＥＤ照明パネル（天井面形成用パネル）、５…ダミーパネル（天井面形成用パネル）、１０…建築物、１１…室内、１２…柱部、１３…外壁、１４…スラブ（蓄熱体）、１５…窓、１６…間仕切り、１７…天井、１８…床、１９…空間部、２０…パネル本体、２０ａ…貫通孔（吸込用の微小孔）、２１…パイプ、２２…保持部材、２３…板状部、２４…湾曲部、２４ａ…開口、２５…吸音用シート、３０…パネル本体、３０ａ…貫通孔（吹出用の微小孔）、３１…チャンバー、３２…吸音用シート、４０…パネル本体、４１…ＬＥＤランプ、４２…基板、４３…拡散板、４４…貫通孔、１００…空気調和システム、１１０…熱源機（熱源装置）、１１１、１１２…循環ライン、１２０…熱交換ユニット（熱源装置）、１２１…供給側配管、１２２…戻り側配管、１３０…外調機（空気調和装置）、１３１…吹出しダクト、１３２…吸込みダクト、１３２ａ…端部、１３３…方向、２００…底壁、２０１〜２０４…側壁、２０１ａ〜２０４ａ…折曲部、２０５…孔、３００…底壁、３０１〜３０４…側壁、３０１ａ〜３０４ａ…折曲部、３０５…孔、３１０…上部チャンバー、３１０ａ…上壁、３１０ｂ〜３１０ｅ…側壁、３１０ｆ…座部、３１０ｇ…空気取入口、３１０ｈ…スラブ側排出孔、３１０ｉ…取付孔、３１１…下部チャンバー、３１１ａ…上壁、３１１ｂ〜３１１ｅ…側壁、３１１ｆ…室内側排出孔、３１２…パッキン、３１４…ボルト、４００…底壁、４０１〜４０４…側壁
【図１】
2014020703.tif 000003
【図２】
2014020703.tif 000004
【図３】
2014020703.tif 000005
【図４】
2014020703.tif 000006
【図５】
2014020703.tif 000007